(57)【要約】【課題】無線基地局装置内部のＡＴＭスイッチング機能部の障害検出方法。【解決手段】ＡＴＭスイッチング機能部が起動時に各種機能部および自己の動作状態をＡＴＭセルで中央監視制御機能部ヘ送信し且つ第１のタイマを起動する第１ステップ、中央監視制御機能部がＡＴＭセルを受信したとき第２のタイマを起動する第２ステップ、スイッチング機能部が第１のタイマのタイムアウトを検出したときＡＴＭヘルス報告を中央監視制御機能部ヘ送信する第３ステップ、中央監視制御機能部がＡＴＭヘルス報告を受信したとき管理テーブルにＡＴＭヘルス報告受信フラグをオンに設定する第４ステップ、第２のタイマのタイムアウトを検出したときＡＴＭヘルス報告受信フラグオンの有無を検出し、フラグがオンとき当該フラグをオフに更新し第２のタイマを再起動し、フラグがオンでなかったときＡＴＭスイッチング機能部の障害である旨を判定する第６のステップ。【選択図】      図４
2004260565.tif 000002
【特許請求の範囲】
【請求項１】
ＡＴＭセルのスイッチングを行うＡＴＭスイッチング機能部と監視制御を司る中央監視制御機能部とを備え、内部の各種機能部の動作状態を監視する無線基地局装置において、前記スイッチング機能部は前記各種機能部の前記動作状態情報をＡＴＭフォーマットのＡＴＭセルで前記中央監視制御機能部ヘ送信し、前記中央監視制御機能部は前記スイッチング機能部から送信される前記ＡＴＭセルの受信の有無により前記スイッチング機能部の障害を検出することを特徴とする無線基地局装置の障害監視方法。
【請求項２】
ＡＴＭセルのスイッチングを行うＡＴＭスイッチング機能部と監視制御を司る中央監視制御機能部とを備え、内部の各種機能部の動作状態を監視する無線基地局装置において、前記スイッチング機能部は前記各種機能部の前記動作状態情報をＡＴＭフォーマットのＡＴＭセルで第１の周期で前記中央監視制御機能部ヘ送信することを特徴とする無線基地局装置の障害監視方法。
【請求項３】
ＡＴＭセルのスイッチングを行うＡＴＭスイッチング機能部と監視制御を司る中央監視制御機能部とを備え、内部の各種機能部の動作状態を監視する無線基地局装置において、前記スイッチング機能部は前記各種機能部の前記動作状態情報をＡＴＭフォーマットのＡＴＭセルで第１の周期で前記中央監視制御機能部ヘ送信し、前記中央監視制御機能部は、前記ＡＴＭスイッチング機能部が第１に周期で送信する前記ＡＴＭセルを第２の周期で受信することを特徴とする無線基地局装置の障害監視方法。
【請求項４】
前記第２の周期は、前記第１の周期より長い周期で且つ前記第１の周期の２倍の周期より短い周期あることを特徴とする請求項２および３記載の無線基地局装置の障害監視方法。
【請求項５】
ＡＴＭセルのスイッチングを行うＡＴＭスイッチング機能部と監視制御を司る中央監視制御機能部とを備え、内部の各種機能部の動作状態を監視する無線基地局装置において、前記スイッチング機能部は前記各種機能部の前記動作状態情報をＡＴＭフォーマットのＡＴＭセルで第１の周期で前記中央監視制御機能部ヘ送信し、前記中央監視制御機能部は、前記ＡＴＭスイッチング機能部が第１に周期で送信する前記ＡＴＭセルを前記第１の周期より長く且つ前記第１の周期の２倍の周期より短い第２の周期で受信したとき、前記ＡＴＭセルを受信した旨を所定の方法で記憶し、前記第２の周期が経過後に前記記憶したＡＴＭセル受信結果に基づき前記ＡＴＭスイッチング機能の障害を判定することを特徴とする無線基地局装置の障害監視方法。
【請求項６】
ＡＴＭセルのスイッチングを行うＡＴＭスイッチング機能部と監視制御を司る中央監視制御機能部とを備え、内部の各種機能部の動作状態を監視する無線基地局装置において、前記スイッチング機能部が、起動時に前記各種機能部の前記動作状態情報および自己の動作状態情報をＡＴＭフォーマットのＡＴＭセルで前記中央監視制御機能部ヘ送信すると共に第１のタイマを起動第１のステップと、前記中央監視制御機能部が、第１のステップで前記ＡＴＭスイッチング機能部から送信される前記ＡＴＭセルを受信したとき前記第１のタイマの計測時間より長く且つ前記第１のタイマの計測時間の２倍の計測時間より短い第２のタイマを起動する第２のステップと、前記スイッチング機能部が、前記第１のタイマのタイムアウトを検出したとき前記ＡＴＭセルをＡＴＭヘルス報告として前記中央監視制御機能部ヘ送信する第３のステップと、前記中央監視制御機能部が、前記ＡＴＭヘルス報告を受信したとき具備する管理テーブルにＡＴＭヘルス報告を受信したことを示すフラグオンを設定する第４のステップと、前記中央監視制御機能部が、前記第２のタイマのタイムアウトを検出したとき前記管理テーブルを検索して前記ＡＴＭヘルス報告受信フラグオンの有無を検出する第５のステップと、前記中央監視制御機能部が、第５のステップにおいてＡＴＭヘルス報告受信フラグがオンであるとき当該フラグをオフに更新し前記第２のタイマを再起動し、ＡＴＭヘルス報告受信フラグがオンでなかったとき前記ＡＴＭスイッチング機能部の障害である旨を判定する第６のステップとからなることを特徴とする無線基地局装置の障害監視方法。
【発明の詳細な説明】
【０００１】
【発明の属する技術分野】
本発明は、無線基地局装置の各種機能をＡＴＭセルにより監視する無線基地局装置の障害監視方法に関し、特に無線基地局装置に実装されるＡＴＭスイッチング機能部に対する障害監視方法に関する。
【０００２】
【従来の技術】
従来、無線基地局装置内の各機能部の監視を行う場合、ＡＴＭスイッチング機能部を介して中央監視制御機能部と接続し、ＡＴＭセルにより各機能部の動作状態を監視することが多い。
【０００３】
各機能部は監視情報をＡＴＭセルのフォーマットに自機能部の情報及び状態を展開し、ＡＴＭスイッチング機能部を介して中央監視制御機能部に伝達することになる。
【０００４】
従って、ＡＴＭスイッチング機能部も各種機能部と同様に被監視機能部であり、中央監視制御機能部に対し被監視機能となる。
ＡＴＭスイッチング機能部が正常動作状態である場合には、各種機能部の動作状態情報を中央監視制御機能部に通知することができるが、ＡＴＭスイッチング機能部に障害が発生した場合、ＡＴＭスイッチング機能が動作不可となるため、各種機能部の動作状態情報はもとより、自機能部（ＡＴＭスイッチング機能部）の障害情報をも中央監視制御機能部に通知することができなくなる。
【０００５】
すなわち、ＡＴＭスイッチング機能部に障害が発生した場合に、ＡＴＭスイッチング機能部の後位に位置する中央監視制御機能部では、各種機能部およびＡＴＭスイッチング機能部の障害を検出することができない（従来技術１）。
【０００６】
ＡＴＭスイッチに障害が発生した場合に後位へ通知する方法が、例えば特開平９−１８１７３６号公報に開示されている。
【０００７】
上記公報に開示されているＡＴＭスイッチの障害検出方法は、固定長セルを取り扱う固定長セル交換機であって、交換スイッチ部（ＡＴＭスイッチ）の入出力部にインタフェース部を備え、ＡＴＭスイッチに障害が発生するとＡＴＭスイッチが具備する主制御部部が収容しているすべてのインタフェース部に対し、障害が発生したＡＴＭスイッチ部におけるルーティング情報を通知し、ルーティング情報の通知を受けたインタフェース部は通知されたルーティング情報と一致するパスに対して警報セルを送出し、障害が復旧すると主制御部が収容しているすべてのインタフェース部に対し復旧通知を送出し、インタフェース部は警報セルの送出を停止する。
【０００８】
しかしながら、セル多重・交換レイヤ障害時の障害検出処理やＡＴＭスイッチ部障害時の障害検出処理が複雑で、ハードウエアの規模も大きくなる（従来技術２）。
【０００９】
【特許文献１】
特開平９−１８１７３６号公報（段落０００９、段落００１０、段落００４６〜段落００４８、段落００５８〜００６８、段落０１００〜１０１４、図１〜１０、図１３〜１６）
【００１０】
【発明が解決しようとする課題】
上述した第１の従来技術は、ＡＴＭセルで各機能部を監視する無線基地局装置の場合、ＡＴＭスイッチング機能部以外の各種機能部の監視は、中央監視制御機能部に障害が発生しない限り可能であるが、ＡＴＭスイッチング機能部に障害に発生した場合は、各機能部の監視手段となるＡＴＭセル（障害）が検出できなくなるだけでなく、ＡＴＭスイッチング機能部の障害自体も検出ができなくなり、中央監視制御機能部で管理するＡＴＭスイッチング機能部を含めた各機能部の情報及び状態と実際の機能部状態が異なってしまう。
【００１１】
すなわち、ＡＴＭスイッチング機能に障害が発生すると、後位装置（中央監視制御機能部）は障害を検出することがことができない。
【００１２】
上述した第２の従来技術は、セル多重・交換レイヤ障害時の障害検出処理やＡＴＭスイッチ部障害時の障害検出処理が複雑で、ハードウエアの規模も大きくなる。
【００１３】
本発明の目的は、無線基地局装置内部の各種機能部の動作状態を中央監視制御機能部に送信するＡＴＭスイッチング機能部の障害検出方法を提供することにある。
【００１４】
【課題を解決するための手段】
本発明の無線基地局装置の障害監視方法は、ＡＴＭセルのスイッチングを行うＡＴＭスイッチング機能部と監視制御を司る中央監視制御機能部とを備え、内部の各種機能部の動作状態を監視する無線基地局装置において、前記スイッチング機能部は前記各種機能部の前記動作状態情報をＡＴＭフォーマットのＡＴＭセルで前記中央監視制御機能部ヘ送信し、前記中央監視制御機能部は前記スイッチング機能部から送信される前記ＡＴＭセルの受信の有無により前記スイッチング機能部の障害を検出することを特徴とする。
【００１５】
また、ＡＴＭセルのスイッチングを行うＡＴＭスイッチング機能部と監視制御を司る中央監視制御機能部とを備え、内部の各種機能部の動作状態を監視する無線基地局装置において、前記スイッチング機能部は前記各種機能部の前記動作状態情報をＡＴＭフォーマットのＡＴＭセルで第１の周期で前記中央監視制御機能部ヘ送信することを特徴とする。
【００１６】
また、ＡＴＭセルのスイッチングを行うＡＴＭスイッチング機能部と監視制御を司る中央監視制御機能部とを備え、内部の各種機能部の動作状態を監視する無線基地局装置において、前記スイッチング機能部は前記各種機能部の前記動作状態情報をＡＴＭフォーマットのＡＴＭセルで第１の周期で前記中央監視制御機能部ヘ送信し、前記中央監視制御機能部は、前記ＡＴＭスイッチング機能部が第１に周期で送信する前記ＡＴＭセルを第２の周期で受信することを特徴とする。
【００１７】
また、前記第２の周期は、前記第１の周期より長い周期で且つ前記第１の周期の２倍の周期より短い周期あることを特徴とする。
また、ＡＴＭセルのスイッチングを行うＡＴＭスイッチング機能部と監視制御を司る中央監視制御機能部とを備え、内部の各種機能部の動作状態を監視する無線基地局装置において、前記スイッチング機能部は前記各種機能部の前記動作状態情報をＡＴＭフォーマットのＡＴＭセルで第１の周期で前記中央監視制御機能部ヘ送信し、前記中央監視制御機能部は、前記ＡＴＭスイッチング機能部が第１に周期で送信する前記ＡＴＭセルを前記第１の周期より長く且つ前記第１の周期の２倍の周期より短い第２の周期で受信したとき、前記ＡＴＭセルを受信した旨を所定の方法で記憶し、前記第２の周期が経過後に前記記憶したＡＴＭセル受信結果に基づき前記ＡＴＭスイッチング機能の障害を判定することを特徴とする。
【００１８】
また、ＡＴＭセルのスイッチングを行うＡＴＭスイッチング機能部と監視制御を司る中央監視制御機能部とを備え、内部の各種機能部の動作状態を監視する無線基地局装置において、前記スイッチング機能部が、起動時に前記各種機能部の前記動作状態情報および自己の動作状態情報をＡＴＭフォーマットのＡＴＭセルで前記中央監視制御機能部ヘ送信すると共に第１のタイマを起動第１のステップと、前記中央監視制御機能部が、第１のステップで前記ＡＴＭスイッチング機能部から送信される前記ＡＴＭセルを受信したとき前記第１のタイマの計測時間より長く且つ前記第１のタイマの計測時間の２倍の計測時間より短い第２のタイマを起動する第２のステップと、前記スイッチング機能部が、前記第１のタイマのタイムアウトを検出したとき前記ＡＴＭセルをＡＴＭヘルス報告として前記中央監視制御機能部ヘ送信する第３のステップと、前記中央監視制御機能部が、前記ＡＴＭヘルス報告を受信したとき具備する管理テーブルにＡＴＭヘルス報告を受信したことを示すフラグオンを設定する第４のステップと、前記中央監視制御機能部が、前記第２のタイマのタイムアウトを検出したとき前記管理テーブルを検索して前記ＡＴＭヘルス報告受信フラグオンの有無を検出する第５のステップと、前記中央監視制御機能部が、第５のステップにおいてＡＴＭヘルス報告受信フラグがオンであるとき当該フラグをオフに更新し前記第２のタイマを再起動し、ＡＴＭヘルス報告受信フラグがオンでなかったとき前記ＡＴＭスイッチング機能部の障害である旨を判定する第６のステップとからなることを特徴とする。
【００１９】
【作用】
ＡＴＭスイッチング機能部に障害が発生した場合でも中央監視制御機能部によって定期的に監視することによって、該当機能部の障害イベント（ＡＴＭセル）を実際に検出できなくても障害発生の判断が可能になり、その後の復旧制御を促すことが可能になる。
【００２０】
【発明の実施の形態】
本発明の実施の形態について図面を参照して説明する。
【００２１】
図１は無線基地局装置の主要構成を示す図、図２はＡＴＭスイッチング機能部の障害発生時のＡＴＭ回線断状態を示す図、図３は中央監視制御機能部が具備する状態監視管理テーブルであり、ＡＴＭスイッチング機能部の障害発生時の状態管理情報の一例を示す図、図４は中央監視制御機能部におけるＡＴＭスイッチング機能部の障害監視処理を説明するためのフローチャートである。
最初に図１を参照して本発明の構成について説明する。
【００２２】
図１に示す無線基地局装置１０は、所定の異なる機能を有する機能部Ａ３、機能部Ｂ４、機能部Ｃ５、機能部Ｄ６、機能部Ｅ７、機能部Ｆ８の各種機能部と、ＡＴＭスイッチング機能部２と、中央監視制御機能部１とから構成され、ＡＴＭスイッチング機能部２は各種機能部および中央監視制御機能部１とＡＴＭ回線で接続されている。
【００２３】
機能部Ａ３〜機能部Ｆ８は、それぞれＡＴＭセルのフォーマットに自己の動作状態（情報および状態）を展開してＡＴＭスイッチング機能部２を介して中央監視制御機能部１へ転送し現在の動作状態を通知する。
【００２４】
ＡＴＭスイッチング機能部２は、自己および各機能部Ａ３〜Ｆ３の正常動作状態を中央監視制御機能部１へ通知するためのＡＴＭヘルス報告タイマ（図示せず）を備えている。
中央監視制御機能部１は、ＡＴＭ回線の回線断を検出するためのＡＴＭ回線断検出タイマと状態監視管理テーブル（図示せず）を備え、ＡＴＭスイッチング機能部２を介して受信した動作状態情報に基づき各機能部Ａ３〜Ｆ８の動作状態を管理する。
【００２５】
各機能部（機能部Ａ３、機能部Ｂ４、機能部Ｃ５、機能部Ｄ６、機能部Ｅ７、機能部Ｆ８）と中央監視制御機能部１とは直接インタフェースを持たないため、ハードウェアの構成を変えずに、ソフトウェアに定期監視機能を追加するだけで、ＡＴＭスイッチング機能の障害にも対応することができる。
【００２６】
図２に示すようにＡＴＭスイッチング機能部２に障害が発生すると、各機能部（機能部Ａ３、機能部Ｂ４、機能部Ｃ５、機能部Ｄ６、機能部Ｅ７、機能部Ｆ８）が完全に孤立するため、以降被監視側である機能部Ａ３、機能部Ｂ４、機能部Ｃ５、機能部Ｄ６、機能部Ｅ７、機能部Ｆ８およびＡＴＭスイッチング機能部１に何らかの何らかのイベントが発生した際、中央監視制御機能部１側ではそのイベントを検出することができない。
従って、中央監視制御機能部１で管理する各機能部の情報および状態と、実際の各機能部の情報および状態に不一致が生じることになる。
図３は通常の運用状態において、ＡＴＭスイッチング機能部１に障害が発生した後の各機能部の実状態と中央監視制御機能部１で管理する各機能部の状態を示している。つまりＡＴＭスイッチ機能部１の障害イベントが検出されないまま中央監視制御機能部１の内部管理情報が保持（状態不一致）されてしまう。
【００２７】
このように、ＡＴＭセルにより機能部監視を実現する無線基地局装置にとって、ＡＴＭスイッチ機能部の障害は致命的であるだけでなく、ＡＴＭスイッチ機能部の障害であるが故にＡＴＭスイッチング機能部の障害も検出ができないことから障害発生前の情報及び状態が中央監視制御機能部で保持されたままとなり、この致命的事象を回避できない状態に陥る。
【００２８】
図４に図１、図２を併せて参照して障害検出動作について説明する。
【００２９】
ＡＴＭスイッチング機能部２は、最初にソフトウェア起動後の正常運用状態（状態Ａ）をＡＴＭセルにより中央監視制御機能部１へ送信する（図４のステップＳ１０１）と共にＡＴＭヘルス報告タイマ（図示せず）を起動する（Ｓ１０２）。
【００３０】
このＡＴＭヘルス報告タイマは、例えば２０ｓｅｃの間動作するように設定されているものとする。
【００３１】
中央監視制御機能部１は、ＡＴＭスイッチング機能部２が正常動作状態であることを示す状態Ａ情報を受信すると、ＡＴＭ回線断検出タイマ（図示せず）を起動する（Ｓ１０３）。
このＡＴＭ回線断検出タイマは、例えば３０ｓｅｃの間動作するように設定されているものとする。
【００３２】
ＡＴＭスイッチング機能部２は、ＡＴＭヘルス報告タイマを監視し、タイムアウトを検出したタイミングで、本発明において定義する定期監視用ＡＴＭセル（以下ＡＴＭヘルス報告）を中央監視制御機能部１へ送信する（Ｓ１０４）。
【００３３】
この時送信するＡＴＭヘルス報告は、ＡＴＭセルフォーマット上、ペイロード部分において「ＡＴＭヘルス報告」という意味付けされたものであると定義する。
【００３４】
以降、中央監視制御機能部１は、ＡＴＭヘルス報告タイマがタイムアウトする度にＡＴＭスイッチング機能部２からＡＴＭヘルス報告を受信することになる。
【００３５】
中央監視制御機能部１は、図３に示すような監視対象機能部（機能部Ａ３、機能部Ｂ４、機能部Ｃ５、機能部Ｄ６、機能部Ｅ７、機能部Ｆ８およびＡＴＭスイッチング機能部２）毎の動作状態を監視するためのＡＴＭヘルス管理テーブル（図示せず）を備えており、ＡＴＭスイッチング機能部２からＡＴＭヘルス報告を受信すると、状態監視管理テーブルのＡＴＭヘルス報告受信フラグをＯＮ（デフォルトＯＦＦ）に設定する（Ｓ１０５）。
【００３６】
中央監視制御機能部１は、ＡＴＭ回線断検出タイマを監視し、タイムアウトを検出したタイミング（Ｓ１０６）において状態監視管理テーブルを検索し、ＡＴＭヘルス報告受信フラグの設定状態を判定する（Ｓ１０７）。
【００３７】
ステップＳ１０７において、ＡＴＭヘルス報告受信フラグの設定がＯＮであった場合には、ＡＴＭスイッチング機能部が正常運用中と判断し、ＡＴＭヘルス報告受信フラグをＯＦＦに設定変更し（Ｓ１０８）、ステップＳ１０３へ移行しＡＴＭ回線断検出タイマを再起動させる（Ｓ１０８）。
【００３８】
ステップＳ１０６において、ＡＴＭヘルス報告受信フラグの設定がＯＦＦであった場合にはＡＴＭスイッチング機能部２に障害が発生したと判断し処理を終了する（Ｓ１０９）。
【００３９】
ＡＴＭヘルス報告は２０ｓｅｃ周期で送信されるために、中央監視制御機能部１で起動しているＡＴＭ回線断検出タイマ（３０ｓｅｃ）のタイムアウト前にＡＴＭスイッチング機能部２が正常に動作していれば、必ず１回はＡＴＭヘルス報告受信していることになるので、ＡＴＭスイッチング機能部２に対する定期監視機能となる。
【００４０】
【発明の効果】
以上のように本発明は、ＡＴＭセルのスイッチングを行うＡＴＭスイッチング機能部と監視制御を司る中央監視制御機能部とを備え、内部の各種機能部の動作状態を監視する無線基地局装置において、前記スイッチング機能部が、起動時に前記各種機能部の前記動作状態情報および自己の動作状態情報をＡＴＭフォーマットのＡＴＭセルで前記中央監視制御機能部ヘ送信すると共に第１のタイマを起動第１のステップと、前記中央監視制御機能部が、第１のステップで前記ＡＴＭスイッチング機能部から送信される前記ＡＴＭセルを受信したとき前記第１のタイマの計測時間より長く且つ前記第１のタイマの計測時間の２倍の計測時間より短い第２のタイマを起動する第２のステップと、前記スイッチング機能部が、前記第１のタイマのタイムアウトを検出したとき前記ＡＴＭセルをＡＴＭヘルス報告として前記中央監視制御機能部ヘ送信する第３のステップと、前記中央監視制御機能部が、前記ＡＴＭヘルス報告を受信したとき具備する管理テーブルにＡＴＭヘルス報告を受信したことを示すフラグオンを設定する第４のステップと、前記中央監視制御機能部が、前記第２のタイマのタイムアウトを検出したとき前記管理テーブルを検索して前記ＡＴＭヘルス報告受信フラグオンの有無を検出する第５のステップと、前記中央監視制御機能部が、第５のステップにおいてＡＴＭヘルス報告受信フラグがオンであるとき当該フラグをオフに更新し前記第２のタイマを再起動し、ＡＴＭヘルス報告受信フラグがオンでなかったとき前記ＡＴＭスイッチング機能部の障害である旨を判定する第６のステップとにより無線基地局装置の障害監視処理を行うので、次のような効果が得られる。
【００４１】
ＡＴＭスイッチング機能部の障害という、無線基地局装置として致命的な障害が発生した場合においても、監視側となる中央監視制御機能部に障害が発生しない限り、ＡＴＭ回線断検出タイマ値内にＡＴＭスイッチング機能部の障害を検出することができるため、その後の復旧制御を促すことが可能になる。
【００４２】
既存のハードウェアに手を加えることなく、ソフトウェアのみで対処できるため、極めて容易にＡＴＭスイッチング機能部の障害検出が可能になる。
【図面の簡単な説明】
【図１】本発明の無線基地局装置の主要構成を示す図である。
【図２】本発明のＡＴＭスイッチング機能部の障害発生時のＡＴＭ回線断状態を示す図ある。
【図３】中央監視制御機能部が具備する状態監視管理テーブルであり、ＡＴＭスイッチング機能部の障害発生時の状態管理情報の一例を示す図である。
【図４】中央監視制御機能部におけるＡＴＭスイッチング機能部の障害監視処理を説明するためのフローチャートである。
【符号の説明】
１    中央監視制御機能部
２    ＡＴＭスイッチング機能部
３    機能部Ａ
４    機能部Ｂ
５    機能部Ｃ
６    機能部Ｄ
７    機能部Ｅ
８    機能部Ｆ
１０    無線基地局装置
【図１】
2004260565.tif 000003
【図２】
2004260565.tif 000004
【図３】
2004260565.tif 000005
【図４】
2004260565.tif 000006